(57)【要約】      （修正有）【課題】被読取部の情報を本体部における当該被読取部を挟む両側から読取部によって読み取ることができる測定器を提供する。【解決手段】測定器１は、スケールと、スケールを固定する本体部３と、本体部３に対して摺動可能なスライダ４と、スケールに対するスライダ４の相対位置を検出するトランスデューサと、を備え、トランスデューサは、スケールを成す被読取部と、スライダ４に固定された読取部と、読取部が読み取った情報を処理する処理部と、を有しており、被読取部は、本体部３の厚さ方向の略中央部に配置され、読取部は、スライダ４における被読取部を厚さ方向から挟む両側に固定可能であって、スライダ４における被読取部を厚さ方向から挟む両側から読取部が被読取部の情報を読み取ることができるように、本体部３及びスライダ４が構成されている。【選択図】図１
2014169963.tif 000002
【特許請求の範囲】
【請求項１】
スケールと、
前記スケールを固定する本体部と、
前記本体部に対して摺動可能なスライダと、
前記スケールに対する前記スライダの相対位置を検出するトランスデューサと、を備え、
前記トランスデューサは、前記スケールを成す被読取部と、前記スライダに固定された読取部と、前記読取部が読み取った情報を処理する処理部と、を有しており、前記被読取部は、前記本体部の厚さ方向の略中央部に配置され、
前記読取部は、前記スライダにおける前記被読取部を前記厚さ方向から挟む両側に固定可能であって、
前記スライダにおける前記被読取部を前記厚さ方向から挟む両側から前記読取部が前記被読取部の情報を読み取ることができるように、前記本体部及び前記スライダが構成されている測定器。
【請求項２】
前記トランスデューサは、容量型トランスデューサ又は誘導型トランスデューサであって、
前記本体部又は前記スライダにおける前記読取部と前記被読取部との間の部分は、貫通部とされている、又は前記読取部と前記被読取部との容量結合若しくは前記読取部と前記被読取部との電磁結合を阻害しない部材で形成されている請求項１に記載の測定器。
【請求項３】
前記スライダにおける前記被読取部を前記厚さ方向から挟む両側のうち、いずれの側に前記読取部が固定されたのかを切り替える切替部を備え、
前記処理部は、前記切替部の切替信号に基づいて前記被読取部の情報を処理する請求項１又は２に記載の測定器。
【請求項４】
前記切替部は接触スイッチを有し、前記接触スイッチは前記スライダに固定され、
前記スライダにおける前記被読取部を前記厚さ方向から挟む両側のうち、一方の側のみに前記接触スイッチが接触する接触部を有する請求項３に記載の測定器。
【発明の詳細な説明】
【技術分野】
【０００１】
本発明は、測定器に関する。
【背景技術】
【０００２】
測定器の一例として、ノギスやハイトゲージ等が用いられている。近年では、スケールに対するスライダの相対位置を検出する容量型トランスデューサ又は誘導型トランスデューサを用いてデジタル化されている。
【０００３】
容量型トランスデューサは、スケールに被読取部として設けられた電極と、スライダに読取部として設けられた電極と、の間で生じる容量結合に基づいてスケールに対するスライダの相対位置を検出する。一方、誘導型トランスデューサは、スケールに被読取部として設けられたコイルと、スライダに読取部として設けられたコイルと、の間で生じる電磁結合に基づいてスケールに対するスライダの相対位置を検出する。
【０００４】
このような容量型トランスデューサや誘導型トランスデューサのスケールは、一般的に被読取部の情報を容易に読み取ることができるように、本体部（例えば本尺）における読取部が配置された側の面に略沿って配置されている。つまり、ノギスの使用形態において、本体部の表面側にスケールが配置されている。
【０００５】
ところで、一般的なノギスは使用者が右利きであることを前提に構成しており、左利きの使用者には使用し辛い構成である。そこで、右利き及び左利きのいずれの使用者も使用できるノギスが開発されている（特許文献１乃至３を参照）。
【０００６】
特許文献１のノギスは、本尺の両面に目盛を付し、左利きの使用者が使用する形態において、当該目盛を使用者が読み取ることができるように、スライダの裏面に窓を形成している。
【０００７】
特許文献２及び３のノギスは、本尺を挟んで両側にジョウを配置し、右利き及び左利きのいずれの使用者でも被測定物を測定できる構成とされている。特に特許文献３のノギスは、スライダにおける本尺目盛を挟んで一側に右利き用バーニャ目盛が付され、他側に左利き用のバーニャ目盛が付されており、右利きの使用者が使用する形態及び左利きの使用者が使用する形態のいずれの形態においても目盛を読み取ることができる構成とされている。
【先行技術文献】
【特許文献】
【０００８】
【特許文献１】特開昭６１−２２６６０１号公報
【特許文献２】中国実用新案登録公報第２４６９４０９号
【特許文献３】中国実用新案登録公報第２４００７７７号
【発明の概要】
【発明が解決しようとする課題】
【０００９】
特許文献１乃至３には、容量型トランスデューサや誘導型トランスデューサの被読取部の情報を、本体部における当該被読取部を挟む両側から読取部によって読み取ることができる構成は開示されていない。
【００１０】
本発明は、このような問題点を解決するためになされたものであり、被読取部の情報を本体部における当該被読取部を挟む両側から読取部によって読み取ることができる測定器を提供することを目的とする。
【課題を解決するための手段】
【００１１】
本発明の一形態に係る測定器は、スケールと、前記スケールを固定する本体部と、前記本体部に対して摺動可能なスライダと、前記スケールに対する前記スライダの相対位置を検出するトランスデューサと、を備え、前記トランスデューサは、前記スケールを成す被読取部と、前記スライダに固定された読取部と、前記読取部が読み取った情報を処理する処理部と、を有しており、前記被読取部は、前記本体部の厚さ方向の略中央部に配置され、前記読取部は、前記スライダにおける前記被読取部を前記厚さ方向から挟む両側に固定可能であって、前記スライダにおける前記被読取部を前記厚さ方向から挟む両側から前記読取部が前記被読取部の情報を読み取ることができるように、前記本体部及び前記スライダが構成されている。
【００１２】
上述の測定器において、前記トランスデューサは、容量型トランスデューサ又は誘導型トランスデューサであって、前記本体部又は前記スライダにおける前記読取部と前記被読取部との間の部分は、貫通部とされている、又は前記読取部と前記被読取部との容量結合若しくは前記読取部と前記被読取部との電磁結合を阻害しない部材で形成されていることが好ましい。
【００１３】
上述の測定器において、前記読取部が前記スライダにおける前記被読取部を前記厚さ方向から挟む両側のうち、いずれの側に固定されたのかを切り替える切替部を備え、前記処理部は、前記切替部の切替信号に基づいて前記被読取部の情報を処理することが好ましい。
【００１４】
上述の測定器において、前記切替部は接触スイッチを有し、前記接触スイッチは前記スライダに固定され、前記スライダにおける前記被読取部を前記厚さ方向から挟む両側のうち、一方の側のみに前記接触スイッチが接触する接触部を有することが好ましい。
【発明の効果】
【００１５】
本発明によれば、被読取部の情報を本体部における当該被読取部を挟む両側から読取部によって読み取ることができる測定器を提供することができる。
【図面の簡単な説明】
【００１６】
【図１】実施の形態１のノギスにおける右利きの使用者が使用する形態を概略的に示す正面図である。
【図２】実施の形態１のノギスにおける左利きの使用者が使用する形態を概略的に示す正面図である。
【図３】図１の右側面図である。
【図４】スライダを概略的に示す正面図である。
【図５】トランスデューサの構成ブロック図である。
【発明を実施するための形態】
【００１７】
以下、本発明を実施するための最良の形態について、添付図面を参照しながら説明する。但し、本発明が以下の実施の形態に限定される訳ではない。また、説明を明確にするため、以下の記載及び図面は、適宜、簡略化されている。なお、以下の説明における表裏方向、左右方向及び前後方向は、特に注釈がない場合は右利きの使用者が使用する形態を基準とした方向である。
【００１８】
本実施の形態の測定器は、トランスデューサの被読取部を本体部の厚さ方向の略中央部に配置することで、本体部における被読取部を厚さ方向から挟む両側から当該被読取部の情報を良好に読み取ることができる構成としたものである。
【００１９】
＜実施の形態１＞
以下、本実施の形態の測定器を説明する。本実施の形態の測定器は、デジタルノギスとして構成されている。図１は、本実施の形態のノギス１における右利きの使用者が使用する形態を概略的に示す正面図である。図２は、本実施の形態のノギス１における左利きの使用者が使用する形態を概略的に示す正面図である。図３は、図１の右側面図である。
【００２０】
図１乃至図３に示すように、本実施の形態のノギス１は、スケール２、本体部３、スライダ４及びトランスデューサ５を備えている。スケール２は、例えば位置情報を有している。スケール２は、平板状の長尺部材である。なお、スケール２の詳細は後述する。
【００２１】
本体部３は、所謂本尺である。詳細には、本体部３は、図１及び図２に示すように、長尺部材である。そして、本体部３は、図３に示すように、スケール２が当該本体部３の表裏方向（厚さ方向）の略中央部に配置されるように、スケール２を固定する。
【００２２】
本実施の形態の本体部３は、スケール２を囲む。例えば、本体部３は、断面視がスケール２の外形に対応する中空部を有する矩形形状である。つまり、本体部３は、スケール２を表裏方向から挟む側部３ａと側部３ｂ、及びスケール２を前後方向から挟む側部３ｃと側部３ｄを備えており、側部３ａと側部３ｂとは略等しい厚さとされている。そして、側部３ａと側部３ｂと側部３ｃと側部３ｄとで形成された中空部にスケール２が嵌め込まれている。
【００２３】
本体部３における側部３ｃの左側端部からは、内側測定用ジョウの一方のジョウ３ｅが前方に突出している。本体部３における側部３ｄの左側端部からは、外側測定用ジョウの一方のジョウ３ｆが後方に突出している。
【００２４】
本体部３における側部３ａの表面及び裏面は、スケール２の表面と略平行に配置されている。側部３ａの表面には、図示を省略するが、右利きの使用者が使用する形態において当該使用者が目視する本尺目盛が設けられている。当該本尺目盛は、図１に示す右利きの使用者が使用する形態において、左側端部を原点とする
【００２５】
本体部３における側部３ｂの表面及び裏面はスケール２の裏面と略平行に配置されている。側部３ｂの裏面には、図示を省略するが、左利きの使用者が使用する形態において当該使用者が目視する本尺目盛が設けられている。当該本尺目盛は、図２に示す左利きの使用者が使用する形態において、右側端部を原点とする。
【００２６】
つまり、図１及び図２に示すように、右利きの使用者が使用する形態及び左利きの使用者が使用する形態のいずれの場合でも、内側測定用ジョウ及び外側測定用ジョウが配置された側に原点が配置されるように本尺目盛が設けられている。
【００２７】
スライダ４は、本体部３に対して摺動する。本実施の形態のスライダ４は、本体部３を囲む。詳細には、スライダ４は、図３に示すように、本体部３の外形に対応する中空部を有する矩形形状である。つまり、スライダ４は、本体部３を表裏方向から挟む側部４ａと４ｂ、及び本体部３を前後方向から挟む側部４ｃと４ｄを備えており、側部４ａと側部４ｂとは略等しい厚さとされている。そして、側部４ａと側部４ｂと側部４ｃと側部４ｄとで形成された中空部に本体部３が配置されている。
【００２８】
図４は、スライダ４の正面図を概略的に示している。図４に示すように、スライダ４の側部４ａ及び４ｂは、表裏方向から見て略矩形形状に形成されている。側部４ａの表面及び裏面は、本体部３の表面と略平行に配置されている。側部４ａの表面は、後述するトランスデューサ５の電装モジュールの固定面とされる。
【００２９】
側部４ｂの表面及び裏面は、本体部３の裏面と略平行に配置されている。側部４ｂの裏面は、後述するトランスデューサ５の電装モジュールの固定面とされる。つまり、スライダ４は、表面及び裏面のいずれの面にもトランスデューサ５の電装モジュールを固定可能な構成とされている。
【００３０】
スライダ４における側部４ｃの左端部からは、内側測定用ジョウの他方のジョウ４ｅが前方に突出している。スライダ４における側部４ｄの左端部からは、外側測定用ジョウの他方のジョウ４ｆが後方に突出している。これにより、ジョウ４ｅ及び４ｆはスライダ４の摺動に合わせて移動する。
【００３１】
ちなみに、一般的なノギスと同様に、スライダ４にデプスバー等が設けられているが、本発明の主要部でないため説明は省略する。
【００３２】
トランスデューサ５は、スケール２に対するスライダ４の相対位置を検出する。つまり、トランスデューサ５は、一般的なリニアスケールを構成する。ここで、図５は、トランスデューサ５の構成ブロック図である。図５に示すように、トランスデューサ５は、被読取部６及び電装モジュール７を備えている。なお、トランスデューサ５は、インクリメンタル型及びアブソリュート型のいずれでも実施可能である。
【００３３】
被読取部６は、例えば樹脂製の平板部材に埋め込まれてスケール２を成す。トランスデューサが容量型トランスデューサの場合、被読取部６は信号電極を備えている。トランスデューサが誘導型トランスデューサの場合、被読取部６はスケールコイルを備えている。
【００３４】
電装モジュール７は、図３に示すように、右利きの使用者が使用する場合はスライダ４における側部４ａの表面（本体部３と向かい合う面に対して逆側の面）に固定され、左利きの使用者が使用する場合はスライダ４における側部４ｂの裏面（本体部３と向かい合う面に対して逆側の面）に固定される。
【００３５】
本実施の形態では、右利きの使用者が使用する形態での電装モジュール７に対して左利きの使用者が使用する形態での電装モジュール７は、前後方向の軸を中心に反転した形態（即ち、前後方向が等しく、左右方向及び表裏方向が逆の形態）でスライダ４に固定される。
【００３６】
電装モジュール７は、読取部８、処理部９、切替部１０、表示部１１及び電源１２を備えている。読取部８は、被読取部６の情報を読み取る。詳細には、トランスデューサが容量型トランスデューサの場合、読取部８は送信電極及び受信電極を備えている。この送信電極及び受信電極は、被読取部６の信号電極と容量結合する。送信電極に処理部９から駆動信号を供給し、スライダ４とスケール２との相対位置に応じて受信電極に生じる検出信号を処理部９に出力する。
【００３７】
トランスデューサが誘導型トランスデューサの場合、読取部８は励磁コイル及び検出コイルを備えている。励磁コイルに処理部９から電流を供給すると磁束が発生し、被読取部６のスケールコイルに起電力が発生する。この電流によって生じた磁束は、検出コイルに起電流を発生させる。検出コイルは、発生した電流を処理部９に出力する。
【００３８】
このとき、被読取部６と読取部８との間で生じる容量結合や電磁結合を阻害する部材が、被読取部６と読取部８との間に配置されていると、被読取部６の情報を読取部８で良好に読み取ることができない。
【００３９】
そこで、本体部３の側部３ａ及び側部３ｂにおける被読取部６と読取部８との間に配置される部分は、貫通部とされている、又は被読取部６と読取部８との間で生じる容量結合や電磁結合を阻害しない部材（例えばプラスティックやガラス等の非鉄材料）で形成されている。ここで、本体部３に貫通部を形成する場合、当該貫通部は本体部３における被読取部６に対応する部分に形成されればよく、本体部３における当該貫通部以外の部分でスケール２を保持する。
【００４０】
また、スライダ４の側部４ａ及び側部４ｂにおける被読取部６と読取部８との間に配置される部分も、貫通部とされている、又は被読取部６と読取部８との間で生じる容量結合や電磁結合を阻害しない部材で形成されている。ここで、スライダ４に貫通部を形成する場合、当該貫通部はスライダ４における読取部８に対応する部分に形成されればよく、スライダ４における当該貫通部以外の部分で本体部３を保持する。
【００４１】
本実施の形態では、図２及び図３に示すように、スライダ４の側部４ａにおける被読取部６と読取部８との間に配置される部分が貫通部４ｇとされている。また、スライダ４の側部４ｂにおける被読取部６と読取部８との間に配置される部分が貫通部４ｈとされている。
【００４２】
処理部９は、入力される検出信号又は電流に基づいてスケール２に対するスライダ４の相対位置を検出する。例えば処理部９は、一般的なトランスデューサと同様に、右側及び左側のいずれか一方に読取部８が移動すると測定値を順次加算し、他方に読取部８が移動すると測定値を順次減算する。但し、被読取部６の絶対位置を読取部８によって読み取り、この読み取った情報に基づいて処理部９がスケール２に対するスライダ４の相対位置を検出してもよい。
【００４３】
切替部１０は、読取部８の移動に伴う処理部９における測定値の加算処理及び減算処理を逆転させる。つまり、図１に示す右利きの使用者が使用する形態では、読取部８が右側に移動すると測定値を加算し、読取部８が左側に移動すると測定値を減算するように、処理部９が処理する必要がある。一方、図２に示す左利きの使用者が使用する形態では、読取部８が左側に移動すると測定値を加算し、読取部８が右側に移動すると測定値を減算するように、処理部９が処理する必要がある。
【００４４】
そこで、切替部１０は、読取部８が被読取部６を挟んでスライダ４の表面及び裏面のいずれの面に固定されたのかを検出し、当該検出した信号を処理部９に出力する。本実施の形態の切替部１０は接触スイッチを備えており、当該接触スイッチの端部が電装モジュール７におけるスライダ４の側部４ａ又は側部４ｂと向かい合う側の面から突出している。
【００４５】
そして、図３に示すように、接触スイッチの端部が接触する接触部４ｉ（図３のハッチング部分）がスライダ４の側部４ａ又は側部４ｂのいずれか一方の側部（本実施の形態では側部４ｂ）に形成されている。一方、他方の側部（本実施の形態では側部４ａ）における当該接触部４ｉと向かい合う部分には、接触スイッチの端部が接触しない形状とされている。例えば当該他方の側部における接触部４ｉと向かい合う部分に凹み部が形成される。なお、本実施の形態の切替部１０は、接触スイッチを用いたが、非接触式の近接スイッチを用いてもよい。
【００４６】
その結果、本実施の形態では、電装モジュール７をスライダ４の側部４ａに固定すると接触スイッチの端部が凹み部内に収容される。つまり、接触スイッチは非導通状態である。一方、電装モジュール７をスライダ４の側部４ｂに固定すると接触スイッチの端部が接触部４ｉに接触する。つまり、接触センサは導通状態となる。そして、接触スイッチは信号を処理部９に出力する。これにより、処理部９は電装モジュール７がスライダ４の側部４ａに固定されたか、スライダ４の側部４ｂに固定されたか、を認識することができる。
【００４７】
処理部９は、例えば電装モジュール７がスライダ４の側部４ａに固定されたと認識すると、図１に示す右利きの使用者が使用する形態において、スライダ４が右側に移動すると測定値を順次加算し、スライダ４が左側に移動すると測定値を順次減算する。一方、処理部９は、電装モジュール７がスライダ４の側部４ｂに固定されたと認識すると、図２に示す左利きの使用者が使用する形態において、スライダ４が左側に移動すると測定値を順次加算し、スライダ４が右側に移動すると測定値を順次減算する。
【００４８】
表示部１１は、処理部９が処理した情報を表示する。つまり、表示部１１は、測定値を表示する。本実施の形態の表示部１１は、液晶表示装置を備えているが、測定値を表示できるものであれば特に限定されず、有機ＥＬ（エレクトロルミネッセンス）や無機ＥＬ等の表示装置を用いてもよい。電源１２は、電装モジュール７の各要素の電源装置である。
【００４９】
このようなノギス１は、右利きの使用者が使用する形態とする場合、電装モジュール７をスライダ４の側部４ａに固定し、左利きの使用者が使用する形態とする場合、電装モジュール７をスライダ４の側部４ｂに固定するだけで、右利き用のノギスと左利き用のノギスとを簡単に製造することができる。しかも、右利き用のノギスと左利き用のノギスとを共通の部材を用いて、即ち別の要素を用意しなくても、製造することができるので、従来に比べて左利き用のノギスを安価に製造することができる。また、左利き用のノギスを大量生産することができる。
【００５０】
上述の実施の形態では、ノギスとして説明しているが、ハイトゲージ等でも同様に実施することができる。要するに、トランスデューサを用いた測定器であれば広く適用することができる。
【００５１】
上述の実施の形態の切替部１０は、接触スイッチを用いて電装モジュール７が、スライダ４の側部４ａに固定されたか、スライダ４の側部４ｂに固定されたか、を認識しているが、この限りでない。切替部１０は、使用者が切り替えることによって、電装モジュール７が、スライダ４の側部４ａに固定されたか、スライダ４の側部４ｂに固定されたか、を切り替えてもよい。要するに、切替部１０は、処理部９における測定値の加減算処理を逆転できればよい。
【符号の説明】
【００５２】
１  ノギス
２  スケール
３  本体部、３ａ〜３ｄ  側部、３ｅ、３ｆ  ジョウ
４  スライダ、４ａ〜４ｄ  側部、４ｅ、４ｆ  ジョウ、４ｇ、４ｆ  貫通部、４ｉ  接触部
５  トランスデューサ
６  被読取部
７  電装モジュール
８  読取部
９  処理部
１０  切替部
１１  表示部
１２  電源
【図１】
2014169963.tif 000003
【図２】
2014169963.tif 000004
【図３】
2014169963.tif 000005
【図４】
2014169963.tif 000006
【図５】
2014169963.tif 000007